(57)【特許請求の範囲】
【請求項１】
窓枠に障子枠が軸着されて開閉する障子の開放角度を制限し保持する窓用開閉調整器において、
両端が開口した筒状体であって、後側開口端付近の側面に軸孔が形成されたケースと、
前記ケースの中空部にスライド自在に挿通された棒状部材であって、一端が前記ケースの前側開口端から突出し、前記ケースの前記中空部に収容されている所定箇所にアーム位置決め部が形成されたアームと、
障子枠に固定される本体を有し、前記本体が、前記ケースから突出した前記アームの端部に、ボールジョイント構造で首振り自在、且つ回転自在に取り付けられた障子ブラケットと、
前記ケースの中空部に設けられ、前記アームがスライドして前記ケースから所定の長さ突出すると、前記アーム位置決め部に係合することによって当該スライド動作を停止させるストッパ部材を有するアーム位置決め機構と、
前記窓枠に取り付けられる固定部と、前記ケース側面の前記軸孔に挿入されて前記ケースを支持する軸部を有し、前記ケースを、前記窓枠の室内側面と平行に回転自在に、且つ当該窓枠の側面に対して所定の傾斜角度以下の範囲で揺動自在に支持するケース支持部とを有する枠ブラケットとを備え
前記枠ブラケットの前記固定部は、前記障子の開閉端が近接する前記窓枠の辺に取り付けられ、
前記ストッパ部材は、頭部の形状が前記アーム位置決め部であるアーム位置決め孔の中に挿入可能なストッパピンであり、前記ストッパピンの前記頭部は、前記ケースの後側開口部から前側開口部の方向に向けて低くなる傾斜面を有し、
前記アーム位置決め機構は、前記ストッパピンを前記アームの側面に向けて付勢する付勢手段と、前記アーム位置決め孔に挿入された前記ストッパピンの頭部を前記付勢手段の付勢と反対向きに押し戻すストッパ解除ボタンを備え、
前記アームの突出長さが短いときは、当該付勢によって前記ストッパピンの前記頭部が前記アームに当接し、前記アーム位置決め孔が前記ストッパピンの前記頭部の位置に達すると、当該付勢によって当該頭部が前記アーム位置決め孔に挿入され、
前記ストッパピンが前記アーム位置決め孔に挿入された状態で前記ストッパ解除ボタンを押圧すると、前記ストッパピンの前記傾斜面の一部が前記アーム位置決め孔の外に押し出され、前記アームが前記ケース内に収容される向きの力が加わると、前記ストッパピンは、前記傾斜面に前記アーム位置決め孔の内周縁部が当接する力によって外に押し出され、前記アームがスライド可能な状態になり、反対に、前記アームが前記ケースから突出する向きの力が加わると、前記ストッパピンの前記頭部の外周側面が前記アーム位置決め孔の内周縁部に係止され、前記アームの保持状態が維持されることを特徴とする窓用開閉調整器。
【請求項２】
アーム位置決め機構は、前記ケースの前記前側開口部に取り付けられ、ストッパ解除部材を内部に誘導する差込口が形成されたガイドと、前記ストッパピンと一体に移動するストッパ基板とを備え、
前記ストッパピンは、前記ストッパ基板の上面に突出するように設けられ、
前記アームが前記ケース内に収容された状態で前記ストッパ解除部材が前記差込口から差し込まれると、前記ストッパ基板の上面が前記ストッパ解除部材によって係止され、前記ストッパピンの前記頭部が前記アーム位置決め孔に嵌合しない位置に保持される請求項１記載の窓用開閉調整器。
【発明の詳細な説明】
【技術分野】
【０００１】
この発明は、窓枠と窓枠に軸着されて開閉する障子とを連結し、障子の開放角度を制限し保持する窓用開閉調節器に関する。
【背景技術】
【０００２】
従来、例えば、特許文献１に開示されているように、二本以上のロッドをくの字型に結合して屈伸可能なリンクを構成し、リンクの一端が、閉じられた障子の開閉端に近接する窓枠の部分に所定方向に回転可能なヒンジを介して連結され、リンクの他の一端が、障子の開閉端（揺動端）に所定方向に回転可能なヒンジに連結され、さらに、窓枠側のロッドを二体に分割して長手方向の軸線を中心に回動自在に連結された窓開閉用リンクの捩れ吸収装置がある。この窓開閉用リンクの捩れ吸収装置は、窓を開閉するとき、各ロッドの動きが、枢軸やヒンジ等によって合計６つの回転軸で制御されるものである。
【０００３】
また、特許文献２に開示されているように、長尺の外筒と、外筒の後端部から伸縮自在に挿通された長尺の内挿部材とを備え、外筒には凹状の係合部及びブレーキ部等が一体に設けられ、内挿部材には、板バネ及び突片等が一体に設けられ、内挿部材が所定長さまでスライドすると、突片が板バネの付勢によって前記係合部に係合する動作等によって当該スライド動作が静かに停止する扉等開閉器がある。この扉等開閉器の場合、外筒が、閉じられた扉等の開閉端及び軸着端以外の端部に近接する窓枠の部分に所定方向に回転可能に軸着され、内挿部材の外筒から突出した部分が、扉等の開閉端に所定方向に回転可能に軸着され、扉等を開閉するとき、外筒と内挿部材の動きが上記２つの回転軸で制御されるものである。
【先行技術文献】
【特許文献】
【０００４】
【特許文献１】実開昭６０−１０８６６３号公報
【特許文献２】特開２００８−２６１２１６号公報
【発明の概要】
【発明が解決しようとする課題】
【０００５】
しかし、特許文献１の窓開閉用リンクの捩れ吸収装置は、窓を開閉するとき、リンクが折り畳まれたり開いたりする構造が広い範囲に露出するので、デザイン的に煩雑な印象を与えたり、開閉の操作中に誤って指などを挟んでしまうおそれがあるという問題があった。また、窓を開閉するとき、各ロッドの動きを制御するために６つもの回転軸を設けなくてはならず、構造が非常に複雑であった。さらに、窓の開放角度が制限されるので、小さな子供が操作を誤って窓から転落する等のおそれがなくて安全な半面、屋内からは窓の外側の面を清掃することができないという不便な面があった。
【０００６】
一方、特許文献２の扉等開閉器は、外筒と内挿部材の動きを、少ない回転軸で制御するため、構造が比較的単純である。しかし、例えば、扉等が窓枠の縦枠部分に軸着された縦軸回転窓の場合、この扉等開閉器は、窓枠の下枠部分と扉等の下框部分との間に取り付けられるので、開閉の操作中に誤って指などを挟みやすい配置になる。さらに、特許文献１と同様に、屋内からは窓の外側の面を清掃することができないという不便な面があった。
【０００７】
この発明は、上記背景技術に鑑みて成されたもので、障子の開放角度を制限し保持する機能を簡単な構造で実現することができ、安全で使い勝手のよい窓用開閉調節器を提供することを目的とする。
【課題を解決するための手段】
【０００８】
この発明は、窓枠に障子枠が軸着されて開閉する障子の開放角度を制限し保持する窓用開閉調整器であって、
両端が開口した筒状体であって、後側開口端付近の側面に軸孔が形成されたケースと、前記ケースの中空部にスライド自在に挿通された棒状部材であって、一端が前記ケースの前側開口端から突出し、前記ケースの前記中空部に収容されている所定箇所にアーム位置決め孔等のアーム位置決め部が形成されたアームとを備え、
さらに、障子枠に固定される本体を有し、前記本体が、前記ケースから突出した前記アームの端部に、ボールジョイント構造で首振り自在、且つ、回転自在に取り付けられた障子ブラケットと、前記ケースの中空部に設けられ、前記アームがスライドして前記ケースから所定の長さ突出すると、前記アーム位置決め部に係合することによって当該スライド動作を停止させるストッパ部材を有するアーム位置決め機構とを備え、
さらに、前記窓枠に取り付けられる固定部と、前記ケース側面の前記軸孔に挿入されて前記ケースを支持する軸部を有し、前記ケースを、前記窓枠の室内側面と平行に回転自在に、且つ、当該窓枠の側面に対して所定の傾斜角度以下の範囲で揺動自在に支持するケース支持部とを有する枠ブラケットとを備え
前記枠ブラケットの前記固定部は、前記障子の開閉端が近接する前記窓枠の辺に取り付けられ、前記障子が閉じられると、前記アームが前記ケース内に収められる方向にスライドして前記前側開口端からの突出長さが短くなり、前記障子が開けられると、前記アームが前記ケースから突出する方向にスライドし、所定の突出長さになると、アーム位置決め部と前記ストッパ部材が係合することによって、障子の位置が所定の開放角度で保持される窓用開閉調整器である。
【０００９】
また、前記ストッパ部材は、頭部の形状が前記アーム位置決め部であるアーム位置決め孔の中に挿入可能なストッパピンであり、前記アーム位置決め機構は、前記ストッパピンを前記アームの側面に向けて付勢する付勢手段を備え、前記アームの突出長さが短いときは、当該付勢によって前記ストッパピンの前記頭部が前記アームに当接し、前記アーム位置決め孔が前記ストッパピンの前記頭部の位置に達すると、当該付勢によって当該頭部が前記アーム位置決め孔に挿入される構成にすることができる。
【００１０】
また、前記ストッパピンの前記頭部は、前記ケースの後側開口部から前側開口部の方向に向けて低くなる傾斜面を有し、前記アーム位置決め機構は、前記アーム位置決め孔に挿入された前記ストッパピンの頭部を前記付勢手段の付勢と反対向きに押し戻すストッパ解除ボタンを備え、前記ストッパピンが前記アーム位置決め孔に挿入された状態で前記ストッパ解除ボタンを押圧すると、前記ストッパピンの前記傾斜面の一部が前記アーム位置決め孔の外に押し出され、さらに、前記アームが前記ケース内に収容される向きの力が加わると、前記ストッパピンは、前記傾斜面に前記アーム位置決め孔の内周縁部が当接する力によって外に押し出され、前記アームがスライド可能な状態になり、反対に、前記アームが前記ケースから突出する向きの力が加わると、前記ストッパピンの前記頭部の外周側面が前記アーム位置決め孔の内周縁部に係止され、前記アームの保持状態が維持される構成にすることができる。
【００１１】
また、アーム位置決め機構は、前記ケースの前記前側開口部に取り付けられ、ストッパ解除部材を内部に誘導する差込口が形成されたガイドと、前記ストッパピンと一体に移動するストッパ基板とを備え、前記ストッパピンは、前記ストッパ基板の上面に突出するように設けられ、前記アームが前記ケース内に収容された状態で前記ストッパ解除部材が前記差込口から差し込まれると、前記ストッパ基板の上面が前記ストッパ解除部材によって係止され、前記ストッパピンの前記頭部が前記アーム位置決め孔に嵌合しない位置に保持される構成にすることができる。
【発明の効果】
【００１２】
この発明の窓用開閉調節器は、ケース及びアームの動きを制御するための回転軸等のジョイント数が少なく、構造が簡単でメンテナンス性にも優れている。また、ケース内をスライドするアームを停止させ、所定の位置に保持するアーム位置決め機構の構造も単純で、各部材の摩耗や劣化が生じ難い。さらに、ストッパ解除部材を用いることによって、アーム位置決め機構の動作を容易にキャンセルすることができ、窓のメンテナンス等を容易に行うことができる。
【図面の簡単な説明】
【００１３】
【図１】この発明の第一の実施形態の窓用開閉調節器が窓に取り付けられ、その窓が閉じられた状態を示す正面図（ａ）と、開かれた状態を示す正面図（ｂ）である。
【図２】図１（ａ）のＡ部を拡大した正面図である。
【図３】図１（ａ）のＡ部を拡大した左側面図である。
【図４】第一の実施形態の窓用開閉調節器のケース及び内部のアーム位置決め機構を示す平面図（ａ）と、正面図（ｂ）である。
【図５】第一の実施形態の窓用開閉調節器のアーム及び障子ブラケットを示す平面図（ａ）、正面図（ｂ）、及び、右側面図（ｃ）である。
【図６】図５のアームに対して障子ブラケットが可動する様子を示す断面図（ａ），（ｂ）である。
【図７】第一の実施形態の窓用開閉調節器のアームがケース内に深く収容されているときのアーム位置決め機構の状態を示す正面から見た断面図（ａ）と、右側面から見た断面図（ｂ）である。
【図８】図４のアーム位置決め機構のガイドを示す右側面図（ａ）、正面図（ｂ）、Ｂ−Ｂ断面図（ｃ）、及び、Ｃ−Ｃ断面図（ｄ）である。
【図９】図４のアーム位置決め機構のストッパ基板及びストッパピンを示す平面図（ａ）、正面図（ｂ）、及び、左側面図（ｃ）である。
【図１０】図４のアーム位置決め機構のストッパ解除ボタンを示す平面図（ａ）、正面図（ｂ）、及び、右側面図（ｃ）である。
【図１１】第一の実施形態の窓用開閉調節器により窓が閉じられた状態の横断面図である。
【図１２】第一の実施形態の窓用開閉調節器により窓が開かれた状態の横断面図である。
【図１３】第一の実施形態の窓用開閉調節器のアーム位置決め孔にストッパピンが嵌合しているときのアーム位置決め機構の長手方向の断面図（ａ）と、横断面図（ｂ）である。
【図１４】図１３の状態で、さらにストッパ解除ボタンを押圧したときのアーム位置決め機構の状態の長手方向断面図（ａ）と、横断面図（ｂ）である。
【図１５】第一の実施形態の窓用開閉調節器のストッパ解除部材を示す平面図（ａ）と、正面図（ｂ）である。
【図１６】第一の実施形態の窓用開閉調節器のアームがケース内に深く収容されているとき、ストッパ解除部材が差し込まれたアーム位置決め機構の長手方向断面図（ａ）と、横断面図（ｂ）である。
【図１７】図１５の状態からアームがスライドし、アーム位置決め孔がストッパピンの頭部上方に移動したときのアーム位置決め機構の長手方向断面図（ａ）と、横断面図（ｂ）である。
【図１８】図１５の状態からアームがスライドし、ケースの外に抜け出たときのアーム位置決め機構の状態の長手方向断面図（ａ）と、横断面図（ｂ）である。
【発明を実施するための形態】
【００１４】
以下、この発明の第一の実施形態の窓用開閉調整器１０について、図面に基づいて説明する。窓用開閉調整器１０は、図１に示すように、障子枠１２ａを構成する一方の縦框の中にガラス１２ｂが嵌め込まれた矩形の障子１２が窓枠１４の縦枠部分に軸着されて成る外開き窓１６に取り付けられ、障子１２の開放角度を制限して保持する装置である。以下、窓用開閉調整器１０の構成について説明する。
【００１５】
窓用開閉調整器１０は、図２、図３に示すように、ケース１８、アーム２０、障子ブラケット２２、枠ブラケット２４を備えている。ケース１８は、図４に示すように、前側開口端１８ａ及び後側開口端１８ｂを有する断面矩形の筒状体であって、後側開口端１８ｂはキャップ２５で塞がれ、その付近の側面に軸孔１８ｃが形成されている。また、中空部の前側開口端１８ａ付近に、後述するアーム２０のスライド動作を制御するアーム位置決め機構２６が設けられている。アーム位置決め機構２６については、後で述べる。
【００１６】
ケース１８の中空部には、アーム２０がスライド自在に挿通され、図２、図３に示すように、ケース１８の前側開口端１８ａから突出する側の一端に、障子ブラケット２２が取り付けられている。アーム２０は、図５に示すように、棒状の板材であり、ケース１８の中空部に収容される側の端部に、厚み方向に貫通するアーム位置決め孔２０ａが形成されている。一方、障子ブラケット２２は、障子枠１２ａの面部分に当接状態でネジ固定される本体２２ａを有し、本体２２ａの背面側にドーム状のボール受け部２２ｂが延設されている。そして、ボール受け部２２ｂが、アーム２０のケース１８から突出する側の端部に立設されたボール部２０ｂに嵌合している。従って、障子ブラケット２２は、図６に示すように、自在継ぎ手であるいわゆるボールジョイント構造によって、アーム２０に対して首振り自在、且つ、回転自在に可動する。
【００１７】
ケース１８は、図２、図３に示すように、枠ブラケット２４を介して窓枠１４に取り付けられている。枠ブラケット２４は、Ｌ字状に屈曲した２つの平面を有する板材で成り、一方の平面が窓枠１４に当接状態で固定される固定部２４ａである。他方の平面は、ケース１８の軸孔１８ｃに挿入されてケース１８を支持する軸２４ｂが中央部分に立設され、ケース１８を、窓枠１４の内向きの側面と平行に回転自在に、且つ、当該窓枠の側面に対して所定の傾斜角度以下の範囲で揺動自在に支持するケース支持部２４ｃである。ここでは、揺動自在な傾斜角度は、０〜１０度に設定されている。
【００１８】
次に、アーム位置決め機構２６の構成を、図７〜図１０を用いて説明する。アーム位置決め機構２６は、図７に示すように、ガイド２８、ストッパ基板３０、ストッパピン３２、スプリング３４、ストッパ解除ボタン３６で構成されている。なお、図７は、アーム位置決め機構２６が動作しておらず、アーム２０がスライド自在なときの様子を示している。
【００１９】
ガイド２８は、図８に示すように、ケース１８の前側開口端１８ａを塞ぐ前壁３８と後壁４０が所定の間隔を開けて設けられ、下端部同士が底板４２で繋がっている。前壁３８と後壁４０のやや上寄りの部分に、アーム２０が挿通され、アーム２０を摺動自在に支持するアーム孔４４が形成され、さらに、前壁３８のアーム孔４４のやや下寄りの部分に、後述するストッパ解除部材４６が差し込まれる差込口４８が左右一対に形成されている。また、底板４２の上面には、スプリング３４の下端部を保持するスプリング保持溝４２ａが設けられている。
【００２０】
ストッパ基板３０は、ガイド２８の前壁３８と後壁４０に挟まれた空間に僅かにゆとりをもって収まる外形の矩形の板材で、図９に示すように、左右端部から起立する一対の側壁３０ａを有している。この一対の側壁３０ａの間隔は、アーム２０の幅よりも広い。また、ストッパ基板３０の上面３０ｂの中央に、ストッパピン３２が、側壁３０ａが起立する方向に突出するように一体に設けられている。ストッパピン３２は、アーム２０がスライドしてケース１８から所定の長さ突出すると、頭部３２ａがアーム位置決め孔１８ｃ内に嵌合して当該スライド動作を停止させるストッパ部材として機能する。また、ストッパピン３２の頭部３２ａには、一方向に傾斜する傾斜面３２ｂが設けられている。
【００２１】
スプリング３４は、側方から見て等脚台形状のコイルばねで、下端部がガイド２８のスプリング保持溝４２に収まる大きな径を有し、上端部がストッパピン３２の下端部と嵌合する小さな径を有している。スプリング３４は、組み立て状態で、ストッパピン３２をアーム２０に向けて付勢する付勢手段の働きをする。
【００２２】
ストッパ解除ボタン３６は、図１０に示すように、ストッパ基板と同様の矩形の基板３６ａと、その中央部分に中空に突出した押圧部３６ｂと、基板３６ａの左右端部から押圧部３６ｂと反対向きに起立する一対の脚部３６ｃを有している。
【００２３】
ガイド２８、ストッパ基板３０、ストッパピン３２、スプリング３４及びストッパ解除ボタン３６は、図７のように組み立てられ、アーム位置決め機構２６を構成する。まず、ガイド２８の底板４２のスプリング保持溝４２ａにスプリング３４の下端部が収められ、その上端部にストッパ基板３０及びストッパピン３２が取り付けられる。このとき、ストッパピン３２の傾斜面３２ｂの低い側が前側開口端１８ａに向くように配置される。ストッパピン３２は、圧縮されたスプリング３４によって上向きに付勢され、頭部３２ａがアーム２０の下面に係止されている。
【００２４】
ストッパ解除ボタン３６は、アーム２０の上面側を基板３６ａと一対の脚部３６ｃで跨ぐように配置され、基板３６ａの下面をストッパ基板３０の一対の側壁３０ａで支持している。また、ストッパ解除ボタン３６の押圧部３６ｂは、先端部分がケース１８の側面に開口されたボタン孔５０内に収まり、上面が外部に露出している。
【００２５】
次に、外開き窓１６の障子１２が開閉されるときの窓用開閉調整器１０の動作について、図１１〜図１４を用いて説明する。障子１２が閉じられているとき、図１１に示すように、窓用開閉調整器１０は、ケース１８とアーム２０が床面に対してほぼ垂直の向き（図１１の奥行き方向）に配置される。アーム２０は、図２と図３のようにケース１８に深く収容され、アーム位置決め機構２６は、図７で説明したように、アーム２０のスライド動作を妨げない状態になっている。また、窓枠１４に固定された枠ブラケット２４の固定部２４ａと障子１２は、平行に位置している。
【００２６】
障子１２を屋外に向けて開いていくと、図１２に示すように、ケース１８は、枠ブラケット２４のケース支持部２４ｃの軸２４ｂを中心に回動し、前側開口端１８ａが屋外に向いて突出する。それと同時に、アーム２０がケース１８内をスライドし、障子１２の開閉端の移動に追従して、ケース１８からアーム２０が突出する長さが長くなる。また、窓枠１４に固定された枠ブラケット２４の固定部２４ａと障子１２との位置関係が、当初の平行な状態から、斜めの状態に変化する。この平行な状態から斜めの状態に移行する動作は、アーム２０に障子ブラケット２２が取り付けられているボールジョイント構造と、枠ブラケット２４のケース支持部２４ｃがケース１８を揺動自在に保持する保持構造によって、捩れが生じることなく円滑に行われる。
【００２７】
障子１２が所定の開放角度にまで開くと、アーム位置決め孔２０ａがアーム位置決め機構２６の部分に近づく。アーム位置決め孔２０ａがストッパピン３２の位置に達すると、図１３に示すように、ストッパピン３２がスプリング３４によって付勢され、頭部３２ａがアーム位置決め孔２０ａに深く挿入される。また、ストッパピン３２と一体にストッパ基板３０もアーム２０の方向に移動し、ストッパ基板３２の一対の側壁３０ａに支持されているストッパ解除ボタン３６の押圧部３６ｂが、ケース１８のボタン孔５０から突出する。
【００２８】
この動作により、アーム２０は、ケース１８の前側開口端１８ａから突出する方向のスライド動作、及び、ケース１８内に収容される方向のスライド動作の両方が制限され、この位置に固定される。従って、障子１２の最大開放角度がアーム位置決め機構２６によって制限され、且つ、障子１２をその最大開放角度で保持することができる。
【００２９】
障子１２を閉じるときは、ストッパ解除ボタン３６の押圧部３６ｂを指で押し込むことによって、アーム位置決め機構２６の動作を解除する。ストッパ解除ボタン３６が押圧されスプリング３４の付勢と反対の方向に押し戻されると、ストッパ基板３０及びストッパピン３２も同じ向きに移動し、図１４に示すように、ストッパピン３２の傾斜面３２ｂの一部がアーム位置決め孔２０ａの外に押し出される。従って、図１４の状態で、アーム２０がケース１８内に収容される向きの力が加わると、ストッパピン３２は、傾斜面３２ｂにアーム位置決め孔２０ａの内周縁部が当接する力によって外に押し出され、アーム２０がスライド可能な状態になり、障子１２を閉じることができる。反対に、図１４の状態で、障子１２をさらに開こうとする向き、すなわち、アーム２０がケース１８から突出する向きに力が加わっても、ストッパピン３２の頭部３２ａの外周側面がアーム位置決め孔２０ａの内周縁部に係止され、アーム２０がスライドすることができず、アーム２０の保持状態が維持される。従って、アーム位置決め機構２６の動作を解除したときでも、障子１２が誤って最大開放角度以上に開くおそれがないので、小さな子供が操作を誤ったとしても安全である。
【００３０】
次に、障子１２のメンテナンス等において、窓用開閉調節器１０のアーム位置決め機構２６によって規制される障子１２の最大開放角度の制限を、ストッパ解除部材４６を用いて解除する動作ついて、図１５〜図１８を用いて説明する。
【００３１】
ストッパ解除部材４６は、図１５に示すように、使用者の持ち手部分になる握り部５２と、握り部５２からほぼ平行に延設された細長の棒状部分であって、アーム位置決め機構２６のガイド２８に形成された２つの差込口４８に差し込み可能に形成された一対の差込片５４とで構成されている。
【００３２】
ストッパ解除部材４６は、図１６に示すように、アーム２０がケース１８内に深く収容されてスライド自在な状態で使用する。差込片５４をガイド２８の差込口４８から差し込むと、差込片５４は、ストッパ基板３０とアーム２０の間の空間に達し、ストッパ基板３０がアーム２０の方向に移動しないように上面３０ｂを係止する。従って、図１６の状態から障子１２が開かれ、アーム位置決め孔２０ａがストッパピン３２の位置に達しても、図１７に示すように、ストッパピン３２の頭部３２ａはアーム位置決め孔２０ａに嵌合することができず、アーム２０のスライド動作を制限しない。さらに障子１２を開くと、図１８に示すように、アーム２０はケース１８内から抜け出て、障子１２を制限なく広く開くことができる。また、この状態から障子１２を閉じるときは、図１６〜図１８の操作を反対に辿ればよい。
【００３３】
この実施形態の窓用開閉調節器１０は、ケース１８及びアーム２０の動きを制御するための回転軸等の連結部材が少なく、構造が簡単でメンテナンス性にも優れている。また、ケース１８内をスライドするアーム２０を停止させ所定の位置に保持するアーム位置決め機構２６の構造も単純で、各構成部材の摩耗や劣化が生じ難い。また、ストッパ解除部材４６を用いることによって、アーム位置決め機構２６の動作を容易にキャンセルすることができ、ストッパ解除部材２６を用いて窓を広く開ければ、屋内から外開き窓１６の外側の面を清掃することも可能になり、非常に便利である。
【００３４】
なお、この発明の窓開閉用調節器は上記実施形態に限定されるものではなく、障子が窓枠の縦枠部分に軸着された外開き窓のほか、上枠部分に軸着された突き出し窓などに取り付けることも可能である。
【００３５】
また、障子ブラケットがアームの端部に取り付けられる構造は、ボールジョイント構造であればよく、上記実施形態と反対に、障子ブラケットのボール部を設け、アームの端部にボール受け部を設けた構造でもよい。また、清掃等のために障子を広く開く必要がないときは、ストッパ解除部材を用いてアーム位置決め機構の動作を解除する構成を省略してもよい。
【符号の説明】
【００３６】
１０  窓用開閉調整器
１２  障子
１２ａ  障子枠
１４  窓枠
１６  外開き窓
１８  ケース
１８ａ  前側開口端
１８ｂ  後側開口端
１８ｃ  軸孔
２０  アーム
２０ａ  アーム位置決め孔
２０ｂ  ボール部
２２  障子ブラケット
２２ａ  本体
２２ｂ  ボール受け部
２４  枠ブラケット
２４ａ  固定部
２４ｂ  軸
２４ｃ  ケース支持部
２６  アーム位置決め機構
２８  ガイド
３０  ストッパ基板
３０ａ  側壁
３０ｂ  上面
３２  ストッパピン
３２ａ  頭部
３２ｂ  傾斜面
３４  スプリング
３６  ストッパ解除ボタン
４６  ストッパ解除部材
【図１】
0005495755.tif 000002
【図２】
0005495755.tif 000003
【図３】
0005495755.tif 000004
【図４】
0005495755.tif 000005
【図５】
0005495755.tif 000006
【図６】
0005495755.tif 000007
【図７】
0005495755.tif 000008
【図８】
0005495755.tif 000009
【図９】
0005495755.tif 000010
【図１０】
0005495755.tif 000011
【図１１】
0005495755.tif 000012
【図１２】
0005495755.tif 000013
【図１３】
0005495755.tif 000014
【図１４】
0005495755.tif 000015
【図１５】
0005495755.tif 000016
【図１６】
0005495755.tif 000017
【図１７】
0005495755.tif 000018
【図１８】
0005495755.tif 000019